(57)【要約】【課題】ピストン１２の打撃音が外部に漏れることを大幅に低減した油圧ブレーカを提供する。【解決手段】シリンダ１０と、シリンダ１０内に進退動可能に収納された打撃用のピストン１２と、ピストン１２の外周部とシリンダ１０の内周部との間に形成された、ピストン１２を往復動させる油圧作動手段と、シリンダ１０内に保持されてピストン１２により打撃されるチゼル１１とを備えている。この油圧ブレーカにおいて、シリンダ１０内における、ピストン１２とチゼル１１との間に、ピストン１２により直接打撃荷重を受ける受け部材１３を、常時はピストン１２の端面とは隔離されかつチゼル１１の端面には当接するように配設した。ピストン１２と受け部材１３との間には気密空間２５を設けた。【選択図】        図１
2004181595.tif 000002
【特許請求の範囲】
【請求項１】
シリンダと、
前記シリンダ内に進退動可能に収納された打撃用のピストンと、
前記ピストンの外周部と前記シリンダの内周部との間に形成された両側の油圧室に、油圧力を交互に加圧して前記ピストンを往復動させる油圧作動手段と、
前記シリンダ内に保持されて前記ピストンにより打撃されるチゼルとを備えた油圧ブレーカにおいて、
前記シリンダ内における前記ピストンと前記チゼルとの間に、前記ピストンにより直接打撃荷重を受ける受け部材を、常時は前記ピストンの端面とは隔離され、かつ前記チゼルの端面には当接するように配設し、
前記ピストンと前記受け部材との間に、気密空間を設けたことを特徴とする油圧ブレーカ。
【請求項２】
請求項１に記載の油圧ブレーカにおいて、
前記気密空間内に窒素ガスが封入され、
前記シリンダに、前記気密空間内に連通し、かつ前記窒素ガスの流出入により容量可変するアキュームレータを設けたことを特徴とする油圧ブレーカ。
【請求項３】
請求項１に記載の油圧ブレーカにおいて、
前記気密空間内に窒素ガスが封入され、
前記シリンダ内に、前記ピストンの後端部が出入する気密補助空間を設け、
前記気密空間と前記気密補助空間との間に、常時は閉じており、気密空間または気密補助空間に封入された窒素ガスが一定圧力以上のときのみ開く切換弁を備えたバイパス通路を設けたことを特徴とする油圧ブレーカ。
【発明の詳細な説明】
【０００１】
【発明の属する技術分野】
本発明は、コンクリート建築物の基礎構造物等を破砕する土木作業等で使用される低騒音型の油圧ブレーカに関する。
【０００２】
【従来の技術】
図３に示されるように、従来から例えばコンクリート建築物の基礎構造物１のコンクリートブロック２を、油圧ブレーカ５をもって破砕するなど、所定の作業を行わせるものがある。
この種の油圧ブレーカとして、シリンダ内に長さ方向へ進退動可能に保持された打撃用のピストンを油圧で駆動して該ピストンに長さ方向への進退動を繰り返して行わせることにより、ピストン前方に配置されたチゼルと称する大型の鏨（たがね）に繰り返し衝撃力を付与するものは一般に知られている（特許文献１参照）。
【０００３】
【特許文献１】
特開平０７−２１４４７９号公報
【０００４】
【発明が解決しようとする課題】
ところで、従来の油圧ブレーカには次のような解決すべき課題があった。
油圧ブレーカにおいてはピストンにより叩かれたチゼルがシリンダ内をスムーズに摺動できるように、シリンダの口径に比べてチゼルの外径を小さめにしている。このためシリンダとチゼルとの間には、通常、外部に開口する間隙が形成されている。
従来の油圧ブレーカでは、この間隙が、ピストンとチゼルとの打撃が行われるシリンダ内空間に連通する構造となっている。したがって、ピストンがチゼルを打撃した際に発生する金属どうしの大きな打撃音が当該間隙を経てシリンダの外部に漏れ外界に多大な騒音をもたらしている。
本発明は、以上の課題を解決するためになされたもので、ピストンの打撃音が外部に漏れることを大幅に低減し得る油圧ブレーカを提供することを目的とする。
【０００５】
【課題を解決するための手段】
次項に説明する実施の形態によって実現される発明は、それぞれ次のような構成をしている。
〈構成１〉
シリンダと、上記シリンダ内に進退動可能に収納された打撃用のピストンと、上記ピストンの外周部と上記シリンダの内周部との間に形成された両側の油圧室に、油圧力を交互に加圧して上記ピストンを往復動させる油圧作動手段と、上記シリンダ内に保持されて上記ピストンにより打撃されるチゼルとを備えた油圧ブレーカにおいて、上記シリンダ内における上記ピストンと上記チゼルとの間に、上記ピストンにより直接打撃荷重を受ける受け部材を、常時は上記ピストンの端面とは隔離され、かつ上記チゼルの端面には当接するように配設し、上記ピストンと上記受け部材との間に、気密空間を設けたことを特徴とする油圧ブレーカ。
【０００６】
前記チゼルは、その先端部をコンクリート構造物の所定個所に載置した状態で、前記ピストンにより毎分１００回程度の繰返し打撃荷重を受けてそのコンクリート構造物を破砕する。前記ピストンは前記受け部材を介して前記チゼルに衝撃力を付与する。
前記気密空間は、前記シリンダ内周面と、前記ピストン及び前記受け部材の各外周面との間に、Ｏリングのようなシール材をそれぞれ配設することにより形成される。前記ピストンが前記受け部材を叩くのは気密空間内で行われる。したがって、前記ピストンが前記チゼルを打撃した際に発生する打撃音が前記シリンダの内周面に沿って外部に漏れることを防止できる。また、前記受け部材を、常時は前記ピストンの端面とは隔離され、かつ前記チゼルの端面には当接した状態で配設することにより、その打撃荷重を、効率よく前記チゼルに伝達することができる。
前記受け部材を、常時は前記ピストンの端面とは隔離し、かつチゼルの端面には当接するように配設するために、前記受け部材と前記ピストンとの間に、コイルスプリングを配置して両者の所定間隔を保持するようにしている。
【０００７】
〈構成２〉
構成１に記載の油圧ブレーカにおいて、上記気密空間内に窒素ガスが封入され、上記シリンダに、上記気密空間内に連通し、かつ上記窒素ガスの流出入により容量可変するアキュームレータを設けたことを特徴とする油圧ブレーカ。
【０００８】
前記気密空間内に窒素ガスを封入することによって、前記気密空間内の温度上昇を抑制することができる。
しかし、前記ピストンが前記チゼルを打撃した際には前記気密空間内の窒素ガスの圧力が急上昇するので、前記気密空間内の窒素ガスを前記アキュームレータ内に一時的に逃がしてやることにより、前記気密空間内における窒素ガス圧の急上昇を緩和する。また、前記ピストンが前記チゼルを打撃した後、前記チゼルから離間するときの吸引力で前記アキュームレータ内に入った窒素ガスを前記気密空間に戻す動作を行う。この動作は前記ピストンの往復動作が継続している間、行われる。
前記アキュームレータとしては、伸縮可能な蛇腹状の容器でもよく、ガス圧により膨縮可能な容器であればよい。なお、前記アキュームレータが前記シリンダの外側に露出する場合は、外力から保護するために剛性材からなる遮蔽体により覆われていることが好ましい。
【０００９】
〈構成３〉
構成１に記載の油圧ブレーカにおいて、上記気密空間内に窒素ガスが封入され、上記シリンダ内に、上記ピストンの後端部が出入する気密補助空間を設け、上記気密空間と上記気密補助空間との間に、常時は閉じており、気密空間または気密補助空間に封入された窒素ガスが一定圧力以上のときのみ開く切換弁を備えたバイパス通路を設けたことを特徴とする油圧ブレーカ。
【００１０】
前記ピストンが前記チゼルを打撃した際に前記気密空間内の窒素ガス圧が急上昇するので、前記気密空間内の窒素ガスを、前記バイパス通路を介して前記気密補助空間に一時的に逃がしてやることにより、前記気密空間内における窒素ガス圧の急上昇を緩和する。
また、前記ピストンが前記チゼルを打撃した後に前記チゼルから離間するときも、前記気密補助空間内に入った窒素ガスを、前記バイパス通路を介して前記気密空間に戻す動作を行う。この動作は前記ピストンの往復動作が継続している間、行われる。
前記バイパス通路は、前記シリンダに長さ方向に穿孔して設けても、あるいは、前記シリンダの外側に配管を配置するようにして設けてもどちらでもよい。前記バイパス通路に設けられた前記切換弁は、前記気密空間または気密補助空間に封入された窒素ガスを適時交互に流動させる。
【００１１】
【発明の実施の形態】
以下、本発明の実施の形態を具体例を挙げながら詳細に説明する。
図１は本発明の油圧ブレーカの一実施例の要部を示す断面図である。
図１において、シリンダ１０内に進退動可能に収納された打撃用のピストン１２は、図示を省略したが、任意の油圧作動手段によってシリンダ１０内を、毎分１００回程度、往復動するようにされている。すなわち、任意の油圧作動手段としては、ピストン１２の外周部とシリンダ１０の内周部との間に、長さ方向に間隔を置いて形成された２つの油圧室に、油圧ポンプからの油圧力を交互に加圧してピストン１２を往復動させる、周知の機構がある。
【００１２】
シリンダ１０の一端部に、ピストン１２により打撃されるチゼル１１が保持されている。チゼル１１は大型の鏨であり先端が適当なテーパで尖っている。
シリンダ１０内におけるピストン１２とチゼル１１との間に、ピストン１２により直接打撃荷重を受ける受け部材１３が設けられている。受け部材１３は、円柱状をなし、常時はピストン１２の端面とは隔離され、かつチゼル１１の端面には当接する状態で配設されている。
【００１３】
気密空間２５内における受け部材１３とピストン１２との間に、圧縮されたコイルスプリング１４が配置されて両者の所定の間隔が保持されている。
受け部材１３の外周面及びピストン１２の外周面と、シリンダ１０の内周面との各間に、それぞれＯリングのようなシール材１５、１８がそれぞれ配設されることにより、シリンダ１０内におけるピストン１２と受け部材１３との間に、気密空間２５が設けられている。この気密空間２５内には気密空間内の温度上昇を抑制する窒素ガスが封入されている。
【００１４】
シリンダ１０に、一方が気密空間２５内に連通し、他方が外部に連通するガス通路２２が設けられている。このガス通路２２の外側に、伸縮可能な蛇腹状の容器からなるアキュームレータ１６が配設されている。アキュームレータ１６は、気密空間２５内の窒素ガスの流出入により容量可変するもので、剛性材からなる遮蔽体１７により覆われている。
【００１５】
上記実施例の油圧ブレーカは、使用に際して、チゼル１１の先端部をコンクリート構造物に載置した状態で、ピストン１２により受け部材１３を介してチゼル１１に毎分１００回程度の繰返しの打撃荷重を付与することにより、チゼル１１がコンクリート構造物を破砕する。
ピストン１２がチゼル１１を打撃しているとき、気密空間２５内の窒素ガスをアキュームレータ１６内に一時的に逃がしてやることにより、気密空間２５内における窒素ガス圧の急上昇を緩和してピストン１２の往復動作を阻害しないようにする。また、ピストン１２がチゼル１１から離間するときも、チゼルから離間するときの吸引力でアキュームレータ１６内に入った窒素ガスを気密空間２５に戻す動作をする。この動作はピストン１２の往復動作が継続している間、行われる。
【００１６】
図２は本発明の他の変形例の要部を示す断面図であり、図１に示した部分と共通する部分には図１と同一符号を付して重複する説明を省略する。
図２に示した実施例は、図１に示したアキュームレータ１６の代りの構造を有するものである。
図２において、シリンダ１０内に、ピストン１２の一端部が出入し、窒素ガスが封入された気密空間２５と、ピストン１２の他端部が出入する気密補助空間２０とが設けられている。気密空間２５と気密補助空間２０とは、ピストン１２の外周面とシリンダ１０の内周面との間に、Ｏリングのようなシール材１８、１９がそれぞれ設けられることにより気密に遮断されている。
【００１７】
気密空間２５内の、ピストン１２と受け部材１３との間に、コイルスプリング１４が配設され、さらに気密空間２５内に窒素ガスが封入されている。
気密空間２５と気密補助空間２０との間に、切換弁２６を備えたバイパス通路２１が設けられている。バイパス通路２１は、図示のようにシリンダ１０内に長さ方向に穿孔して設けても、あるいは図示を省略するが、シリンダ１０の外側に配管を配置するようにして設けてもどちらでもよい。
バイパス通路２１に設けられた切換弁２６は、常時は閉じており、気密空間２５または気密補助空間２０に封入された窒素ガスが一定圧力以上のときのみ開いて反対側に流動させるものである。
【００１８】
この実施例においては、ピストン１２がチゼル１１を打撃したときに、気密空間２５内の窒素ガスを、バイパス通路２１を介して気密補助空間２０に一時的に逃がしてやることにより、窒素ガス圧の急上昇を緩和する。また、ピストン１２がチゼル１１から離間するときも、気密補助空間２０内に入った窒素ガスを、バイパス通路２１を介して気密空間２５に戻す動作を行う。これらの動作はピストン１２の往復動作が継続している間、行われる。
【００１９】
【発明の効果】
以上のように、本発明によれば、シリンダ内におけるピストンとチゼルとの間に、ピストンにより直接打撃荷重を受ける受け部材を、常時はピストンの端面とは隔離され、かつチゼルの端面には当接するように配設し、ピストンと受け部材との間に気密空間を設けたことにより、ピストンの打撃音を大幅に低減し得るという効果がある。
【図面の簡単な説明】
【図１】本発明の油圧ブレーカの一実施例の要部を示す断面図である。
【図２】本発明の他の変形例の要部を示す断面図である。
【図３】コンクリート建築物のコンクリート基礎ブロックを油圧ブレーカをもって破砕する状況の説明図である。
【符号の説明】
１０  シリンダ
１１  チゼル
１２  ピストン
１３  受け部材
１４  コイルスプリング
１５、１８、１９  シール材
１６  アキュームレータ
２０  気密補助空間
２１  バイパス通路
２２  ガス通路
２５  気密空間
２６  切換弁
【図１】
2004181595.tif 000003
【図２】
2004181595.tif 000004
【図３】
2004181595.tif 000005